(57)【要約】【課題】  サイドウォール部の表面に設けた凹状マークの視認性を、異色ゴムを用いることなく高める。【解決手段】  サイドウォール部２の表面２Ｓに凹状マーク４を具える。凹状マーク４の底面６は、影領域Ｙａとそれ以外の主領域Ｙｂとに区分される。影領域Ｙａは、凹状マーク４に一方向から光を当てたときに凹状マーク４の壁部７が影となる影壁部分８に沿った領域である。影領域Ｙａは、複数の微小突起１０を有する。【選択図】図２
2020125045.tif 000002
【特許請求の範囲】
【請求項１】
サイドウォール部の表面に、前記表面からへこんだ凹状マークを設けたタイヤであって、
前記凹状マークの底面は、前記凹状マークに一方向から光を当てたときに前記凹状マークの壁部が影となる影壁部分に沿った影領域と、前記影領域以外の主領域とに区分されるとともに、
前記影領域は、複数の微小突起を有する、タイヤ。
【請求項２】
前記影領域は、前記影壁部分からの領域巾ＷＡが、前記凹状マークの深さＨよりも大である、請求項１記載のタイヤ。
【請求項３】
前記一方向は、前記凹状マークをタイヤ半径方向外側を上方側として正面視したときの対角線方向である、請求項１又は２記載のタイヤ。
【請求項４】
前記一方向は、前記対角線方向のうち、タイヤ半径方向外側からタイヤ半径方向内側に向く斜め上方側からの対角線方向である、請求項３記載のタイヤ。
【請求項５】
前記微小突起は、上端に向かって厚さが減じるリブ状突起であり、互いに平行に配される、請求項１〜４の何れかに記載のタイヤ。
【請求項６】
前記リブ状突起は、最大厚さが５０〜１０００μm、突出高さが５０〜１０００μm、かつ隣り合うリブ状突起間の中心間距離が１００〜１０００μmである、請求項５記載のタイヤ。
【請求項７】
前記リブ状突起は、前記一方向と同方向に延びる、請求項５又は６記載のタイヤ。
【請求項８】
前記微小突起は、柱状突起である、請求項１〜４の何れかに記載のタイヤ。
【請求項９】
前記柱状突起は、最大太さが５０〜１０００μm、突出高さが５０〜１０００μm、かつ隣り合う柱状突起間の中心間距離が１００〜１０００μmである、請求項８記載のタイヤ。
【請求項１０】
前記柱状突起は、上端側が小径をなす円錐台状をなす、請求項８又は９記載のタイヤ。
【請求項１１】
前記柱状突起は、上端に凹部を具える、請求項８〜１０の何れかに記載のタイヤ。
【請求項１２】
前記凹部の深さは、前記柱状突起の突出高さの１５％以上である、請求項１１記載のタイヤ。
【発明の詳細な説明】
【技術分野】
【０００１】
本発明は、サイドウォール部の表面に設けた凹状マークの視認性を高めたタイヤに関する。
【背景技術】
【０００２】
タイヤのサイドウォール部の表面には、タイヤのメーカ名、ブランド名、サイズ等の標章を表すための文字、記号などであるマークが形成されている。従来、このようなマークは、視認性を高めるために、サイドウォール部の表面から突出するように凸状に形成されている。しかし凸状のマークは、空気抵抗が大であり燃費性能に悪影響を与える。
【０００３】
そこで、下記の特許文献１には、マークを、サイドウォール部の表面よりも低い凹状に形成することが提案されている。
【先行技術文献】
【特許文献】
【０００４】
【特許文献１】特開２０１３−１２９２３３号公報
【発明の概要】
【発明が解決しようとする課題】
【０００５】
しかし凹状のマークの場合、サイドウォール部のゴムゲージ厚さの制約上、あまり深くすることができず、視認性に劣る。前記特許文献１では、凹状マークの内側表面に異色ゴムを配置することで、視認性の低下を抑制している。しかし異色ゴムの採用は、タイヤの形成工程が複雑となり、生産効率やコストに不利を招く。
【０００６】
本発明は、サイドウォール部の表面に設けた凹状マークの視認性を、異色ゴムを用いることなく高めうるタイヤを提供することを課題としている。
【課題を解決するための手段】
【０００７】
本発明は、サイドウォール部の表面に、前記表面からへこんだ凹状マークを設けたタイヤであって、
前記凹状マークの底面は、前記凹状マークに一方向から光を当てたときに前記凹状マークの壁部が影となる影壁部分に沿った影領域と、前記影領域以外の主領域とに区分されるとともに、
前記影領域は、複数の微小突起を有する。
【０００８】
本発明に係るタイヤでは、前記影領域は、前記影壁部分からの領域巾ＷＡが、前記凹状マークの深さＨよりも大であるのが好ましい。
【０００９】
本発明に係るタイヤでは、前記一方向は、前記凹状マークをタイヤ半径方向外側を上方側として正面視したときの対角線方向であるであるのが好ましい。
【００１０】
本発明に係るタイヤでは、前記一方向は、前記対角線方向のうち、タイヤ半径方向外側からタイヤ半径方向内側に向く斜め上方側からの対角線方向であるのが好ましい。
【００１１】
本発明に係るタイヤでは、前記微小突起は、上端に向かって厚さが減じるリブ状突起であり、互いに平行に配されるのが好ましい。
【００１２】
本発明に係るタイヤでは、前記リブ状突起は、最大厚さが５０〜１０００μm、突出高さが５０〜１０００μm、かつ隣り合うリブ状突起間の中心間距離が２００〜１０００μmであるのが好ましい。
【００１３】
本発明に係るタイヤでは、前記リブ状突起は、前記一方向と同方向に延びるのが好ましい。
【００１４】
本発明に係るタイヤでは、前記微小突起は、柱状突起であるのが好ましい。
【００１５】
本発明に係るタイヤでは、前記柱状突起は、最大太さが５０〜１０００μm、突出高さが５０〜１０００μm、かつ隣り合う柱状突起間の中心間距離が１００〜１０００μmであるのが好ましい。
【００１６】
本発明に係るタイヤでは、前記柱状突起は、上端側が小径をなす円錐台状をなすのが好ましい。
【００１７】
本発明に係るタイヤでは、前記柱状突起は、上端に凹部を具えるのが好ましい。
【００１８】
本発明に係るタイヤでは、前記凹部の深さは、前記柱状突起の突出高さの１５％以上であるのが好ましい。
【発明の効果】
【００１９】
本発明は叙上の如く、凹状マークの底面を、影領域と、残部の主領域とに区分している。前記影領域は、凹状マークに一方向から光を当てたときに凹状マークの壁部が影となる影壁部分に沿った領域を意味する。そして、この影領域に複数の微小突起を設けることで、光の吸収率を高め、影領域を主領域よりも黒く見せることができる。
【００２０】
これにより、凹状マークの底面にコントラストが与えられ、前記影領域を、一方向から光を当てたときの壁部による影のように見せることができる。又前記影を、凹状マークの壁部の一部のように見せることができる。そしてこれらの目の錯覚により、凹状マークを、実際の深さよりも深く見せることができ、視認性を高めることが可能になる。
【図面の簡単な説明】
【００２１】
【図１】本発明の一実施形態のタイヤのサイドウォール部の一部を示す側面図である。
【図２】（ａ）凹状マークを正面視した図面、（ｂ）は凹状マークを斜めから見た斜視図である。
【図３】凹状マークの断面図である。
【図４】影領域を微小突起とともに示す拡大断面図である。
【図５】リブ状突起の他の例を示す部分斜視図である。
【図６】（ａ）、（ｂ）は柱状突起の配列状態を示す部分平面図、及び断面図である。
【図７】（ａ）、（ｂ）は、斜め左上方側からの対角線方向を一方向とした場合の凹状マークの正面図及び斜視図である。
【図８】（ａ）、（ｂ）は、柱状突起の他の例を示す斜視図である。
【発明を実施するための形態】
【００２２】
以下、本発明の実施の形態について、詳細に説明する。
図１に示すように、本実施形態のタイヤ１は、少なくとも一方のサイドウォール部２に、タイヤのメーカ名、ブランド名、サイズ等である標章３を具える。
【００２３】
標章３は、少なくとも１つの凹状マーク４から構成される。凹状マーク４は、文字、記号、図形などであり、標章３を構成する最小単位を意味する。本例では、「Ａ」、「Ｌ」、「Ｋ」、「Ｅ」である４つの凹状マーク４により、「ＡＬＫＥ」の文字列である標章３（例えばブランド名）が形成される場合が示される。
【００２４】
図２（ａ）、（ｂ）に示すように、凹状マーク４は、サイドウォール部２の表面２Ｓから段差状に凹んだマークとして形成される。即ち、凹状マーク４は、底面６と、底面６から立ち上がりかつ凹状マーク４の輪郭をなす壁部７とを具える。
【００２５】
底面６は、影領域Ｙａと、影領域Ｙａ以外の主領域Ｙｂとに区分される。ここで、影領域Ｙａとは、影壁部分８に沿った底面６上の巾領域を意味する。又影壁部分８とは、壁部７のうち、凹状マーク４に任意の一方向Ｆから光を当てたときに影となる部分を意味する。本例では、正面視において左斜め上方向から光を当てた場合が示される。これにより、壁部７のうち、底面６よりも左側及び上側に位置する部分（便宜上グレーで示される。）が、光が遮られて影となる。即ち、光が遮られて影となる壁部７の部分が影壁部分８となる。又壁部７のうちの他の部分は、光が当たる明壁部分９となる。
【００２６】
そして影壁部分８に沿った前記影領域Ｙａに、複数の微小突起１０が形成される。図２（ａ）、（ｂ）には、微小突起１０が後述するリブ状突起１２である場合が示されており、同図には便宜上、リブ状突起１２の稜線のみ描かれている。なお主領域Ｙｂは、実質的に凹凸の無い平滑面で形成される。
【００２７】
微小突起１０は、光の吸収率を高めることができ、これにより影領域Ｙａを主領域Ｙｂよりも黒く見せることができる。
【００２８】
その結果、凹状マーク４の底面６にコントラスト（明暗）が与えられ、影領域Ｙａを、一方向Ｆから光を当てたときの壁部７による影のように見せることができる。又この影を、凹状マーク４の壁部７の一部のように見せることができる。そしてこれらの目の錯覚により、凹状マーク４を、実際の深さよりも深く見せることができ、立体感を増し、視認性を高めることが可能になる。
【００２９】
ここで、図２（ａ）に示すように、前記一方向Ｆは、凹状マーク４をタイヤ半径方向外側を上方側として正面視したときの、対角線方向Ｆ１であるのが好ましい。特には、タイヤ半径方向外側からタイヤ半径方向内側に向く斜め上方側からの対角線方向Ｆ１であるのが好ましい。これにより、凹状マーク４に与える立体感の演出効果をより高めることができる。正面視とは、タイヤ半径方向外側を上方側として凹状マーク４を正面から見た状態を意味する。又対角線方向Ｆ１とは、凹状マーク４を囲む平行四辺形のうちで最小面積の平行四辺形Ｋの対角線を基準線Ｘとし、この基準線Ｘに対する角度が２０度以下、好ましくは１０度以下の方向を意味する。
【００３０】
図２（ａ）、（ｂ）では、一方向Ｆが、斜め上方側からの対角線方向Ｆ１のうち、左上方側からの対角線方向Ｆ１である場合が示される。しかし図７（ａ）、（ｂ）に示すように、一方向Ｆが、右上方側からの対角線方向Ｆ１であっても良い。
【００３１】
図３、４に概念的に示すように、影領域Ｙａは、影壁部分８からの領域巾ＷＡが、凹状マーク４の深さＨよりも大であるのが好ましい。これにより、凹状マーク４をより深く見せることができる。領域巾ＷＡは影壁部分８の長さ方向と直交する向きの巾である。領域巾ＷＡの上限は、特に規制されないが、深さＨの４．０倍以下が、立体感を与える上で好ましい。又深さＨは、特に規制されないが、サイドウォール部２のゴムゲージ厚さの制約上、０．３〜１．０mm が一般的である。
【００３２】
微小突起１０としては、互いに平行に延びるリブ状突起１２が好適に採用できる。このリブ状突起１２は、その長さ方向と直交する断面が上端に向かって厚さが減じる三角形状、或いは台形状が好ましい。特には、リブ状突起１２は、前記一方向Ｆ（図２（ａ）に示す）と同方向に延びるのが好ましい。これにより、影領域Ｙａを壁部７に見せる効果が高くなり、立体感を増すことができる。
【００３３】
リブ状突起１２では、最大厚さＤ２が５０〜１０００μm、突出高さＨ２が５０〜１０００μm、かつ隣り合うリブ状突起１２、１２間の中心間距離Ｌ２が１００〜１０００μmであるのが好ましい。このようなサイズのリブ状突起１２は、光がより反射しにくくなるので、光の吸収率が高まり影領域Ｙａをより黒く見せることができる。
【００３４】
なおリブ状突起１２としては、図５に示すように、三角形状の頂部を除去した断面台形状とすることができる。
【００３５】
図６（ａ）、（ｂ）に微小突起１０の他の実施例を示す。本例では、微小突起１０は柱状突起１３として形成される。この柱状突起１３の場合にも、光の吸収率を高めて影領域Ｙａを主領域Ｙｂよりも黒く見せることができる。
【００３６】
その結果、凹状マーク４の底面６にコントラスト（明暗）が与えられ、影領域Ｙａを、一方向Ｆから光を当てたときの壁部７による影のように見せることができる。又この影を、凹状マーク４の壁部７の一部のように見せることができる。そしてこれらの目の錯覚により、凹状マーク４を、実際の深さよりも深く見せることができ、立体感を増し、視認性を高めることが可能になる。
【００３７】
柱状突起１３では、最大太さＤ１が５０〜１０００μm、突出高さＨ１が５０〜１０００μm、かつ隣り合う柱状突起１３、１３間の中心間距離Ｌ１が１００〜１０００μmであるのが好ましい。このようなサイズの柱状突起１３は、光がより反射しにくくなるので、光の吸収率が高まり影領域Ｙａをより黒く見せることができる。
【００３８】
図６（ａ）には、柱状突起１３が碁盤目状に配列する場合が示される。しかし、千鳥状の配列でも良く、又中心間距離Ｌ１が前記範囲を満たすならばランダムに配列することもできる。
【００３９】
本例では、柱状突起１３として、上端側が小径をなす円錐台状の柱状突起１３Ａが示される。しかし、柱状突起１３として、太さ一定の円柱状及び角柱状の柱状突起１３Ｂ（図８（ｂ）に示す）とすることもできる。
【００４０】
図８（ａ）、（ｂ）に、柱状突起１３のさらに他の実施例を示す。本例の柱状突起１３は、はその上端に、凹部１５を具える。この凹部１５は、照射された光の反射を低減するので、影領域Ｙａを一層黒く見せることができ、凹状マーク４の立体感をさらに高めうる。
【００４１】
凹部１５は、柱状突起１３と同心に形成されるのが好ましい。又柱状突起１３の高さ方向と直交する向きの凹部１５の断面形状は、柱状突起１３の断面形状と相似形であるのが、強度を均一に保つ上で好ましい。
【００４２】
本例では凹部１５及び柱状突起１３の各断面形状が円形状をなす。又図８（ａ）に示すように、本例の凹部１５は、その内径が、凹部１５の深さが増すにつれて漸減する所謂先細テーパー状をなす場合が示される。しかし、図８（ｂ）に示すように、凹部１５の内径が一定のストレート孔状であっても良い。
【００４３】
凹部１５の深さＨ３は、柱状突起１３の突出高さＨ１の１５％以上であるのが、光の反射を低減するうえで好ましい。又深さＨ３の上限は突出高さＨ１の１００％以下、さらには９０％以下であるのが柱状突起１３の剛性確保の観点から好ましい。
【００４４】
以上、本発明の特に好ましい実施形態について詳述したが、本発明は図示の実施形態に限定されることなく、種々の態様に変形して実施しうる。
【実施例】
【００４５】
図１に示すように、サイドウォール部の表面に、凹状マークからなる標章（「ＡＬＫＥ」の文字列）を表１の仕様で形成したタイヤを試作し、標章の視認性を比較した。
【００４６】
影領域は、図２に示されるように、凹状マークに一方向（斜め右上方側からの対角線方向Ｆ１）から光を当てたときに凹状マークの壁部が影となる影壁部分に沿った影領域である。
【００４７】
微小突起がリブ状突起（断面三角形状）の場合、最大厚さＤ２は１００μm、突出高さＨ２は２００μm、中心間距離Ｌ２は２００μmであった。又微小突起が円錐台状の柱状突起の場合、最大太さＤ１は１００μm、突出高さＨ１は２００μm、中心間距離Ｌ１は２００μmであった。又実施例５において、柱状突起の上端に設けた凹部の深さは、柱状突起の突出高さの１５％であった。
【００４８】
視認性は、目視による官能評価により比較例１を１００とする指数で評価した。数値が大なほど優れている。
【００４９】
【表１】
2020125045.tif 000003
【００５０】
表１の如く実施例は、標章の視認性に優れているのが確認できる。
【符号の説明】
【００５１】
１  タイヤ
２  サイドウォール部
２Ｓ  表面
４  凹状マーク
６  底面
７  壁部
８  影壁部分
１０  微小突起
１２  リブ状突起
１３  柱状突起
１４  凹部
Ｆ１  対角線方向
Ｆ  一方向
Ｙａ  影領域
Ｙｂ  主領域
【図１】
2020125045.tif 000004
【図２】
2020125045.tif 000005
【図３】
2020125045.tif 000006
【図４】
2020125045.tif 000007
【図５】
2020125045.tif 000008
【図６】
2020125045.tif 000009
【図７】
2020125045.tif 000010
【図８】
2020125045.tif 000011